(57)【特許請求の範囲】
【請求項１】
ウィンドウパネルを装着するキャリア部材と、
前記キャリア部材に配設され、ガイドレールを挟持し摺動可能な一対の摺動子と、
前記一対の摺動子を前記ガイドレールに押圧させて前記一対の摺動子に前記ガイドレールを挟持させた状態で前記一対の摺動子を相対的に位置調整可能な位置決め部と、
を備えることを特徴とするウィンドウレギュレータ。
【請求項２】
前記キャリア部材は、前記ウィンドウパネルを装着する連結プレートと、この連結プレートに連結され前記一対の摺動子の一方が固定されたキャリア本体と、前記連結プレートと前記キャリア本体との間に配設され前記一対の摺動子の他方が固定された調整プレートとを備え、
前記位置決め部は、前記キャリア本体に配設された位置調整ボルトと、前記調整プレートに配設され前記位置調整ボルトが挿入されかつ挿入された前記位置調整ボルトに対して前記調整プレートが前記ガイドレールに向かって移動可能な位置調整穴と、前記位置調整穴を通して前記位置調整ボルトを締結し前記キャリア本体に前記調整プレートを取り付けるナットとを備えることを特徴とする請求項１に記載のウィンドウレギュレータ。
【請求項３】
前記キャリア部材は、前記ウィンドウパネルを装着し前記一対の摺動子の一方が固定された前記連結プレートと、この連結プレートに連結され前記一対の摺動子の他方が固定されたキャリア本体とを備え、
前記位置決め部は、前記キャリア本体に配設された位置調整ボルトと、前記連結プレートに配設され前記位置調整ボルトが挿入されかつ挿入された前記位置調整ボルトに対して前記連結プレートが前記ガイドレールに向かって移動可能な位置調整穴と、前記位置調整穴を通して前記位置調整ボルトを締結し前記キャリア本体に前記連結プレートを取り付けるナットとを備えることを特徴とする請求項１に記載のウィンドウレギュレータ。
【請求項４】
前記位置決め部は、組み付け装置によって前記ガイドレールに押圧されて前記ガイドレールを挟持した状態の前記一対の摺動子を、相対的に位置調整可能とするものであり、前記組み付け装置は、第１摺動子用，第２摺動子用の第１プッシュロッド，第２プッシュロッドと、第１プッシュロッド，第２プッシュロッドを駆動する第１エアシリンダ，第２エアシリンダと、を備えることを特徴とする請求項１ないし３のいずれか一項に記載のウィンドウレギュレータ。
【請求項５】
前記位置決め部は、前記一対の摺動子の一方を前記ガイドレールに押圧させるねじ式押圧機構を備えることを特徴とする請求項１ないし３のいずれか一項に記載のウィンドウレギュレータ。
【請求項６】
前記位置決め部は、前記一対の摺動子の一方を前記ガイドレールに押圧させる偏芯カム式押圧機構を備えることを特徴とする請求項１ないし３のいずれか一項に記載のウィンドウレギュレータ。
【請求項７】
前記キャリア部材は、前記ウィンドウパネルを装着する連結プレートと、この連結プレートに連結され前記一対の摺動子の一方が固定されたキャリア本体とを備え、
前記キャリア本体に、前記ガイドレールの装着側と反対側に収納凹部を備え、
前記キャリア部材を前記ガイドレールに沿って移動させるためのワイヤの一端及び他端の端末部材が前記収納凹部内に収納された状態で、前記連結プレートが前記収納凹部を覆って前記収納を維持することを特徴とする請求項１に記載のウィンドウレギュレータ。
【発明の詳細な説明】
【技術分野】
【０００１】
本発明は、ウィンドウレギュレータに関し、特に自動車等に装着するウィンドウパネルを昇降若しくは開閉させるウィンドウレギュレータに関する。
【背景技術】
【０００２】
自動車のドアに装着されたウィンドウパネル（窓ガラス）の昇降にはウィンドウレギュレータが使用されている。このウィンドウレギュレータは、ドア内部において摺動方向が上下に延びるガイドレールと、このガイドレールを摺動するキャリアプレートとを備え、キャリアプレートにはウィンドウパネルが装着されている。
【０００３】
この種のウィンドウレギュレータにおいては、ガイドレールの板厚のばらつきやドアの取り付け上の誤差を吸収するために、ガイドレールとキャリアプレートとの嵌合部分には遊び（クリアランス）が生成されている。この遊びは、ドアの開閉時や走行時にガイドレールとキャリアプレートとの間、結果的にはドア本体とウィンドウパネルとの間のガタ付きになる。特許文献１には、ガイドレールとキャリアプレートとの間の摺動部分に弾性部材を介在させ、摺動部分の遊びに起因するドア本体とウィンドウパネルとの間のガタ付きを防止する技術が開示されている。
【特許文献１】実公平６−４５０３１号公報
【発明の開示】
【発明が解決しようとする課題】
【０００４】
しかしながら、前述のウィンドウレギュレータにおいては、以下の点について配慮がなされていなかった。自動車の前後方向に急ブレーキ等の要因に基づく強い荷重が加わると、弾性部材が簡単に撓んでしまう。この結果、ウィンドウレギュレータのガイドレールとキャリアプレートとの間に瞬間的に遊びが生じ、結果としてドアに対してウィンドウパネルにガタ付きが生じる。
【０００５】
そこで、本発明は、ガイドレールとキャリア部材との間の摺動部分のガタ付きを減少することができるウィンドウレギュレータを提供することを目的とする。
【課題を解決するための手段】
【０００６】
本発明の第１の態様は、ウィンドウパネルを装着するキャリア部材と、前記キャリア部材に配設され、ガイドレールを挟持し摺動可能な一対の摺動子と、前記一対の摺動子を前記ガイドレールに押圧させて前記一対の摺動子に前記ガイドレールを挟持させた状態で前記一対の摺動子を相対的に位置調整可能な位置決め部と、を備えることを特徴とする。
【０００７】
本発明の第２の態様は、第１の態様に係るウィンドウレギュレータにおいて、前記キャリア部材は、前記ウィンドウパネルを装着する連結プレートと、この連結プレートに連結され前記一対の摺動子の一方が固定されたキャリア本体と、前記連結プレートと前記キャリア本体との間に配設され前記一対の摺動子の他方が固定された調整プレートとを備え、前記位置決め部は、前記キャリア本体に配設された位置調整ボルトと、前記調整プレートに配設され前記位置調整ボルトが挿入されかつ挿入された前記位置調整ボルトに対して前記調整プレートが前記ガイドレールに向かって移動可能な位置調整穴と、前記位置調整穴を通して前記位置調整ボルトを締結し前記キャリア本体に前記調整プレートを取り付けるナットとを備えることを特徴とする。
【０００８】
本発明の第３の態様は、第１の態様に係るウィンドウレギュレータにおいて、前記キャリア部材は、前記ウィンドウパネルを装着し前記一対の摺動子の一方が固定された前記連結プレートと、この連結プレートに連結され前記一対の摺動子の他方が固定されたキャリア本体とを備え、前記位置決め部は、前記キャリア本体に配設された位置調整ボルトと、前記連結プレートに配設され前記位置調整ボルトが挿入されかつ挿入された前記位置調整ボルトに対して前記連結プレートが前記ガイドレールに向かって移動可能な位置調整穴と、前記位置調整穴を通して前記位置調整ボルトを締結し前記キャリア本体に前記連結プレートを取り付けるナットとを備えることを特徴とする。
【０００９】
本発明の第４の態様は、第１ないし第３のいずれか一つの態様に係るウィンドウレギュレータにおいて、前記位置決め部は、組み付け装置によって前記ガイドレールに押圧されて前記ガイドレールを挟持した状態の前記一対の摺動子を、相対的に調整可能とするものであり、前記組み付け装置は、第１摺動子用，第２摺動子用の第１プッシュロッド，第２プッシュロッドと、第１プッシュロッド，第２プッシュロッドを駆動する第１エアシリンダ，第２エアシリンダと、を備えることを特徴とする。
【００１０】
本発明の第５の態様は、第１ないし第３のいずれか一つの態様に係るウィンドウレギュレータにおいて、前記位置決め部は、前記一対の摺動子の一方を前記ガイドレールに押圧させるねじ式押圧機構を備えることを特徴とする。
【００１１】
本発明の第６の態様は、第１ないし第３のいずれか一つの態様に係るウィンドウレギュレータにおいて、前記位置決め部は、前記一対の摺動子の一方を前記ガイドレールに押圧させる偏芯カム式押圧機構を備えることを特徴とする。
【００１２】
本発明の第７の態様は、第１の態様に係るウィンドウレギュレータにおいて、前記キャリア部材は、前記ウィンドウパネルを装着する連結プレートと、この連結プレートに連結され前記一対の摺動子の一方が固定されたキャリア本体とを備え、前記キャリア本体に、前記ガイドレールの装着側と反対側に収納凹部を備え、前記キャリア部材を前記ガイドレールに沿って移動させるためのワイヤの一端及び他端の端末部材が前記収納凹部内に収納された状態で、前記連結プレートが前記収納凹部を覆って前記収納を維持することを特徴とする。なお、前記連結プレートは、前記収納凹部を直接または他部材を介して覆っていて良い。
【発明の効果】
【００１３】
本発明の第１の態様によれば、一対の摺動子を相対的に位置調整可能な位置決め部を備え、一対の摺動子をガイドレールに押圧した状態において挟持することができるので、ガイドレールとキャリア部材との間の遊びがなくなり、双方の間の摺動部分のガタ付きを減少することができるウィンドウレギュレータを提供することができる。
【００１４】
本発明の第２の態様によれば、第１の態様に係るウィンドウレギュレータにより得られる効果に加えて、キャリア部材が、連結プレート、調整プレート及びキャリア本体の３点の部品を備えるので、キャリア部材の剛性を高め、ガイドレールとキャリア部材との間のガタ付きをより減少することができるウィンドウレギュレータを提供することができる。
【００１５】
本発明の第３の態様によれば、第１の態様に係るウィンドウレギュレータにより得られる効果に加えて、キャリア部材が、連結プレート及びキャリア本体の２点の部品を備えるので、キャリア部材の部品点数を削減し、簡易な構造を有するウィンドウレギュレータを提供することができる。
【００１６】
本発明の第４の態様によれば、第１ないし第３の態様に係るウィンドウレギュレータにより得られる効果に加えて、組み付け装置によってガイドレールに押圧されて前記ガイドレールを挟持した状態の一対の摺動子を位置決め部が相対的に位置決めするので、一対の摺動子の位置決めを容易に行なうことができる。
【００１７】
本発明の第５の態様によれば、第１ないし第３の態様に係るウィンドウレギュレータにより得られる効果に加えて、ねじ式押圧機構によって、一対の摺動子の一方をガイドレールに押圧させることができるので、摺動子の位置決めを容易に行なうことができる。
【００１８】
本発明の第６の態様によれば、第１ないし第３の態様に係るウィンドウレギュレータにより得られる効果に加えて、偏芯カム式押圧機構によって、一対の摺動子の一方をガイドレールに押圧させることができるので、摺動子の位置決めを容易に行なうことができる。
【００１９】
本発明の第７の態様によれば、第１の態様に係るウィンドウレギュレータにより得られる効果に加えて、キャリア部材のキャリア本体に連結プレート側に開口を持つ収納凹部を備えるので、組み付けの段階においてガイドレールにキャリア本体を取り付けてからワイヤの端末部材を装着し、この端末部材を装着した状態において収納凹部を連結プレートによって覆うことができ、組み付け作業効率を向上することができる。
【発明を実施するための最良の形態】
【００２０】
以下、本発明の実施の形態を、図面を参照しつつ説明する。本実施の形態は、自動車のパワーウィンドウに使用されるウィンドウレギュレータに本発明を適用した例である。なお、実施の形態において、同一構成要素には同一符号を付け、実施の形態の間において重複する説明は省略する。
【００２１】
（第１の実施の形態）
図４に示すように、自動車等の車両のドア（図示しない）に取り付けられるウィンドウレギュレータ１は、ウィンドウパネル（窓ガラス）２を装着するキャリア部材１０と、このキャリア部材１０を上下方向にガイドするガイドレール１１と、を備えている。
【００２２】
ガイドレール１１は若干後傾した状態においてドアの内部に図示しないブラケットを介して固定されている。ガイドレール１１の一端及び他端、ドアに取り付けられた状態においては上端及び下端を除いて、ガイドレール１１の断面形状は図１に示すようにハット形状である。ガイドレール１１の一端、他端にはそれぞれ半円形状のガイド部１１０が取り付けられている。
【００２３】
キャリア部材１０には、ワイヤ３の一端が連結されている。このワイヤ３の他端は、ガイドレール１１の一端まで引き回され、ガイド部１１０に掛け回され、ガイドレール１１の長手方向の中央部に取り付けられたドラム６に巻き回される。更に、ワイヤ３の他端は、ガイドレール１１の他端のガイド部１１０に掛け回され、ガイドレール１１の他端からキャリア部材１０に連結されている。ガイドレール１１の後側において、ワイヤ３はアウターチューブ４により被覆され保護されている。ドラム６の回転軸にはモータ５が連結されており、モータ５を回転することによってドラム６が回転する。このモータ５に基づくドラム６を回転することにより、ワイヤ３の供給排出が行われ、ガイドレール１１に沿ってキャリア部材１０が移動する。
【００２４】
キャリア部材１０には、ホルダ２０を介してウィンドウパネル２が取り付けられている。つまり、キャリア部材１０がガイドレール１１に沿って上下に移動すれば、ウィンドウパネル２は上下に移動する。
【００２５】
図１乃至図３に示すように、キャリア部材１０は、ウィンドウパネル２がホルダ２０を介して直接装着される連結プレート１０３と、この連結プレート１０３に連結されるキャリア本体１０１と、連結プレート１０３とキャリア本体１０１との間に配置された調整プレート１０２と、を備えている。また、このキャリア部材１０には、一対の摺動子である第１摺動子１０１ｂ，第２摺動子１０２ｂと、これら第１摺動子１０１ｂ，第２摺動子１０２ｂを相対的に位置決めする位置決め部１００と、を備えている。位置決め部１００は、第１摺動子１０１ｂ，第２摺動子１０２ｂをガイドレール１１に押圧させて第１摺動子１０１ｂ，第２摺動子１０２ｂにガイドレール１１を挟持させた状態で、第１摺動子１０１ｂ，第２摺動子１０２ｂを相対的に位置決めするものである。
【００２６】
キャリア本体１０１は、鋼板製の基板１０１ａと、一対の摺動子の一方である第１摺動子１０１ｂと、収納凹部１０１ｃと、を備えている。第１摺動子１０１ｂは、ガイドレール１１の縦壁１１１に接して配設され、この縦壁１１１に沿って長手方向に摺動する。第１摺動子１０１ｂは、例えば合成樹脂により形成されており、アウトサート成形により基板１０１ａに取り付けられている。第１摺動子１０１ｂは、キャリア本体１０１の摺動方向の対向辺にそれぞれ配設され、合計２個配設されている。収納凹部１０１ｃはワイヤ（ケーブル）３の一端及び他端の端末部材（ここでは図示していない）を収容する。収納凹部１０１ｃは、第１摺動子１０１ｂと同様に例えば合成樹脂により形成されており、アウトサート成形により基板１０１ａに取り付けられている。更に、基板１０１ａの４隅には、位置決め部１００の位置調整ボルト１０１ｄが植設されている。この位置調整ボルト１０１ｄは、調整プレート１０２及び連結プレート１０３をキャリア本体１０１に締結するとともに、第１摺動子１０１ｂと第２摺動子１０２ｂとを、それらの間に位置させたガイドレール１１の縦壁１１１を押圧させた状態において挟持させることができる。
【００２７】
調整プレート１０２は、鋼板製の基板１０２ａと、一対の摺動子の他方である第２摺動子１０２ｂと、を備えている。第２摺動子１０２ｂは、ガイドレール１１の縦壁１１１に接し、この縦壁１１１を第１摺動子１０１ｂとともに挟み込んで配設され、この縦壁１１１に沿って長手方向に摺動する。第２摺動子１０２ｂは、第１摺動子１０１ｂと同様に例えば合成樹脂により形成されており、アウトサート成形により基板１０２ａに取り付けられている。第２摺動子１０２ｂは、調整プレート１０２の摺動方向の対向辺にそれぞれ配設され、合計２個配設されている。更に、基板１０２ａの４隅であって位置調整ボルト１０１ｄに対応する位置には、位置決め部１００の位置調整穴１０２ｄが配設されている。この位置調整穴１０２ｄは基板１０２ａを貫通する貫通穴である。位置調整穴１０２ｄは、第２摺動子１０２ｂの摺動方向に対して直交する方向、具体的には縦壁１１１の表面に対して垂直な方向に、少なくとも位置調整ボルト１０１ｄの外形寸法に比べてかなり大きな径を有する長孔である。なお、第１の実施の形態において、位置調整穴１０２ｄは、必ずしも長孔である必要はなく、摺動方向にも第２摺動子１０２ｂの位置調整を行えるように、円形状、楕円形状により構成してもよい。
【００２８】
連結プレート１０３は、鋼鉄製の基板１０３ａにより構成されている。連結プレート１０３の基板１０３ａには、位置調整ボルト１０１ｄに対応する位置において位置調整穴１０３ｄが配設されている。この位置調整穴１０３ｄは、貫通穴であり、位置調整ボルト１０１ｄを嵌合させ、キャリア本体１０１に調整プレート１０２を介して連結プレート１０３を締結するために使用される。締結には締結用ナット１０４が使用され、この締結用ナット１０４は位置決め部１００を構築する部品としても機能する。連結プレート１０３は中心部分から左右に延びるウィング形状において形成されており、連結プレート１０３の一端、他端のそれぞれにはホルダ２０（図４参照）を装着する装着穴１０３ｅが配設されている。
【００２９】
また、図５に示すように、ウィンドウレギュレータ１においては、キャリア部材１０のキャリア本体１０１の中央部分の、ガイドレール１１の装着側とは反対側に収納凹部１０１ｃを備えている。収納凹部１０１ｃは、ガイドレール１１上においてキャリア部材１０を摺動させるためのワイヤ３の一端及び他端の端末部材３ａ及び３ｂが収納される。この収納凹部１０１ｃは、ワイヤ３の一端及び他端の端末部材３ａ及び３ｂが収納された状態で、調整プレート１０２を介して連結プレート１０３（調整プレート１０２が存在しない場合には直接連結プレート１０３）によって覆われる。そして、連結プレート１０３によって、ワイヤ３の一端及び他端の端末部材３ａ及び３ｂが収納された状態が維持される。
【００３０】
次に、前述の図１乃至図３を参照しながらウィンドウレギュレータの組立方法を説明する。まず最初に、ガイドレール１１にキャリア本体１０１が取り付けられ、キャリア本体１０１の第１摺動子１０１ｂがガイドレール１１の縦壁１１１の一方の表面に摺接される。この状態において、位置決め部１００が使用される。つまり、キャリア本体１０１の位置調整ボルト１０１ｄに調整プレート１０２の位置調整穴１０２ｄがはめ込まれ、キャリア本体１０１に調整プレート１０２が組み込まれる。キャリア本体１０１に調整プレート１０２を重ね合わせた状態において、図示しない組み付け装置が使用され、ガイドレール１１の縦壁１１１の一方の表面にキャリア本体１０１の第１摺動子１０１ｂが押圧されこの状態が維持される。
【００３１】
そして、図示しない組み付け装置が使用され、調整プレート１０２の第２摺動子１０２ｂがスライドしながらガイドレール１１の縦壁１１１の他方の表面に接し、予定された一定の荷重を負荷して第２摺動子１０２ｂが縦壁１１１の他方の表面に押圧される。そして、この状態において、キャリア本体１０１の位置調整ボルト１０１ｄに連結プレート１０３の位置調整穴１０３ｄがはめ込まれ、更に位置調整ボルト１０１ｄに締結用ナット１０４がはめ込まれる。キャリア本体１０１に調整プレート１０２を介して連結プレート１０３を重ね合わせた状態において、位置調整ボルト１０１ｄに締結用ナット１０４が螺合され締め込まれる。この一連の工程が終了すると、キャリア部材１０の組立が完了する。ここで、上述の組み付け装置は、例えば、第１摺動子１０１ｂ用，第２摺動子１０２ｂ用の第１プッシュロッド，第２プッシュロッドと、第１プッシュロッド，第２プッシュロッドを駆動する第１エアシリンダ，第２エアシリンダと、を備える。そして、第１エアシリンダによって駆動された第１プッシュロッドが第１摺動子１０１ｂをガイドレール１１の縦壁１１１の一方の表面に向けて押圧し、第２エアシリンダによって駆動された第２プッシュロッドが第２摺動子１０２ｂをガイドレール１１の縦壁１１１の他方の表面に向けて押圧するようになっている。
【００３２】
この状態では、キャリア部材１０においては、位置決め部１００は、第１摺動子１０１ｂ，第２摺動子１０２ｂをガイドレール１１に押圧させて第１摺動子１０１ｂ，第２摺動子１０２ｂにガイドレール１１を挟持させた状態で、第１摺動子１０１ｂ，第２摺動子１０２ｂを相対的に位置決めしている。即ち、第１摺動子１０１ｂ，第２摺動子１０２ｂとの間にガイドレール１１の縦壁１１１が、隙間「ゼロ」で位置している。このウィンドウレギュレータ１はドアに取り付けられ、ウィンドウレギュレータ１のキャリア部材１０にはウィンドウパネル２が装着される。
【００３３】
このような構造を有するウィンドウレギュレータ１並びにその組付方法においては、組み付けの段階でガイドレール１１にキャリア本体１０１を取り付け、その収納凹部１０１ｃにワイヤ３の端末部材３ａ及び３ｂを装着収納し、この状態で調整プレート１０２を介して連結プレート１０３が収納凹部１０１ｃを覆うので、端末部材３ａ及び３ｂの装着収納に際してガイドレール１１の存在が邪魔にならず、組み付けの作業効率を向上することができる。
【００３４】
以上説明したように、第１の実施の形態に係るウィンドウレギュレータ１においては、キャリア部材１０がガイドレール１１に隙間「ゼロ」の状態において組み付けることかできるので、ウィンドウパネル２のガタ付きを防止することができる。この結果、ウィンドウレギュレータ１の品質を向上することができる。更に、位置決め部１００は特に複雑な部品ではなく、しかも従前の部品の形状を若干修正し兼用することができるので、ガタ付きを減少しかつ製作コストが安価なウィンドウレギュレータ１を提供することができる。更に、キャリア部材１０が連結プレート１０３、調整プレート１０２及びキャリア本体１０１の３点の部品を備えるので、キャリア部材１０の剛性を高め、ガイドレール１１とキャリア部材１０との間のガタ付きをより減少することができるウィンドウレギュレータ１を提供することができる。
【００３５】
（第２の実施の形態）
本発明の第２の実施の形態は、前述の第１の実施の形態に係るウィンドウレギュレータ１の構造を簡素化した例を説明するものである。
【００３６】
図６に示すように、本発明の第２の実施の形態に係るウィンドウレギュレータ１においては、キャリア部材１０が、第２摺動子１０３ｂを固定した連結プレート１０３と、この連結プレート１０３に連結され第１摺動子１０１ｂを固定したキャリア本体１０１とを備えている。すなわち、第２の実施の形態に係るウィンドウレギュレータ１のキャリア部材１０は、第１の実施の形態に係るウィンドウレギュレータ１のキャリア部材１０の調整プレート１０２を省略し、その調整プレート１０２の第２摺動子１０２ｂを連結プレート１０３の第２摺動子１０３ｂにしている。
【００３７】
位置決め部１００は、キャリア本体１０１に配設された位置調整ボルト１０１ｄと、連結プレート１０３に配設され位置調整ボルト１０１ｄが挿入されかつ挿入された位置調整ボルト１０１ｄに対して連結プレート１０３がガイドレール１１に向かって移動可能な位置調整穴１０３ｄと、位置調整穴１０３ｄを通して位置調整ボルト１０１ｄを締結しキャリア本体１０１に連結プレート１０３を取り付ける締結用ナット１０４とを備えている。ウィンドウレギュレータ１の組付方法は、基本的には前述の第１の実施の形態に係るウィンドウレギュレータ１の組付方法と同様である。
【００３８】
第２の実施の形態においては、前述の第１の実施の形態に係るウィンドウレギュレータ１により得られる効果に加えて、キャリア部材１０が連結プレート１０３及びキャリア本体１０１を備えて構成されているので、キャリア部材１０の部品点数を削減し、簡易な構造を有するウィンドウレギュレータ１を提供することができる。
【００３９】
（第３の実施の形態）
本発明の第３の実施の形態は、前述の第１の実施の形態に係るウィンドウレギュレータ１の組付方法を簡素化することができる例を説明するものである。
【００４０】
図７に示すように、本発明の第３の実施の形態に係るウィンドウレギュレータ１においては、第１の実施の形態に係る位置決め部１００に更にねじ式押圧機構Ａが備えられている。このねじ式押圧機構Ａは、第２摺動子１０２ｂを第１摺動子１０１ｂに向けて移動させて第２摺動子１０２ｂをガイドレール１１の縦壁１１１に押圧させるものである。
【００４１】
具体的には、ねじ式押圧機構Ａは、調整プレート１０２に配設されたフランジ１０２ｆと、連結プレート１０３に配設されたフランジ１０３ｆと、フランジ１０３ｆに装着されフランジ１０２ｆをスライドさせるボルト１０５ａ及びこのボルト１０５ａの締め付け位置を固定するナット１０５ｂとを備えている。フランジ１０２ｆ及び１０３ｆはガイドレール１１の縦壁１１１と対向する位置に配設され、ボルト１０５ａをねじ込むことにより、ボルト１０５ａがフランジ１０２ｆを押し込み、連結プレート１０３に対して調整プレート１０２を縦壁１１１の方向にスライドさせることができる。ウィンドウレギュレータ１の組み付けの段階において、このねじ式押圧機構Ａを使用すれば、組み付け装置の使用が不要になる。
【００４２】
第３の実施の形態においては、第１の実施の形態に係るウィンドウレギュレータ１により得られる効果に加えて、位置決め部１００にねじ式押圧機構Ａによって、第１摺動子１０１ｂを第２摺動子１０２ｂに向けて移動させて、第１摺動子１０１ｂをガイドレール１１の縦壁１１１に押圧させることができるので、第１摺動子１０１ｂと第２摺動子１０２ｂとの位置決めを容易に行なうことができる。なお、第３の実施の形態に係る位置決め部１００を前述の第２の実施の形態に係る位置決め部１００に適用することができる。
【００４３】
（第４の実施の形態）
本発明の第４の実施の形態は、前述の第３の実施の形態に係るウィンドウレギュレータ１の組付方法を代えた例を説明するものである。
【００４４】
図８に示すように、本発明の第４の実施の形態に係るウィンドウレギュレータ１においては、第１の実施の形態に係る位置決め部１００に更に偏芯カム式押圧機構Ｂが備えられている。この偏芯カム式押圧機構Ｂは、第２摺動子１０２ｂを第１摺動子１０１ｂに向けて移動させて第２摺動子１０２ｂをガイドレール１１の縦壁１１１に押圧させるものである。
【００４５】
具体的には、偏芯カム式押圧機構Ｂは、調整プレート１０２に配設されたフランジ１０２ｆと、キャリア本体１０１に植設された位置調整ボルト１０１ｄを中心として回転しこの回転に応じてフランジ１０２ｆをガイドレール１１に押し込む偏芯カム１０６とを備えている。ウィンドウレギュレータ１の組み付けの段階において、偏芯カム１０６を操作して調整プレート１０２の第２摺動子１０２ｂをガイドレール１１に押圧した状態においてキャリア本体１０１、調整プレート１０２及び連結プレート１０３が締結される。ウィンドウレギュレータ１の組み付けの段階において、この偏芯カム式押圧機構Ｂを使用すれば、組み付け装置の使用が不要になる。
【００４６】
第４の実施の形態においては、第１の実施の形態に係るウィンドウレギュレータ１により得られる効果に加えて、偏芯カム式押圧機構Ｂによって、第１摺動子１０１ｂを第２摺動子１０２ｂに向けて移動させて、第１摺動子１０１ｂをガイドレール１１の縦壁１１１に押圧させることができるので、第１摺動子１０１ｂと第２摺動子１０２ｂとの位置決めを容易に行なうことができる。なお、第４の実施の形態に係る位置決め部１００を前述の第２の実施の形態に係る位置決め部１００に適用することができる。
【００４７】
（その他の実施の形態）
本発明は前述の実施の形態に限定されるものではない。例えば、第１摺動子１０１ｂと第２摺動子１０２ｂとの数は、任意であって良い。例えば、前述の実施の形態に係るウィンドウレギュレータ１は、２個の第１摺動子１０１ｂと２個の第２摺動子１０２ｂとを備えているが、２個の第１摺動子１０１ｂとそれらの中間部分に配設される１個の第２摺動子１０２ｂとを備える、又は２個の第２摺動子１０２ｂとそれらの中間部分に配設された１個の第１摺動子１０１ｂとを備えてもよい。
【図面の簡単な説明】
【００４８】
【図１】本発明の第１の実施の形態に係るウィンドウレギュレータの要部断面図である。
【図２】図１に示すウィンドウレギュレータの要部斜視図である。
【図３】図１に示すウィンドウレギュレータのキャリア部材の分解斜視図である。
【図４】図１に示すウィンドウレギュレータが取り付けられた車両用ドアの概略構成図である。
【図５】図１に示すウィンドウレギュレータの要部の斜視図である。
【図６】本発明の第２の実施の形態に係るウィンドウレギュレータの要部の斜視図である。
【図７】本発明の第３の実施の形態に係るウィンドウレギュレータの要部の断面図である。
【図８】本発明の第４の実施の形態に係るウィンドウレギュレータの要部の平面図である。
【符号の説明】
【００４９】
１…ウィンドウレギュレータ、２…ウィンドウパネル、３…ワイヤ、３ａ、３ｂ…端末部材、１０…キャリア部材、１００…位置決め部、１０１…キャリア本体、１０１ｂ…第１摺動子（摺動子）、１０１ｃ…収納凹部、１０１ｄ…位置調整ボルト、１０２…調整プレート、１０２ｂ…第２摺動子（摺動子）、１０２ｄ…位置調整穴、１０２ｆ、１０３ｆ…フランジ、１０３…連結プレート、１０３ｂ…第２摺動子（摺動子）、１０３ｄ…位置調整穴、１０４…締結用ナット、１０５ａ…ボルト、１０５ｂ…ナット、１０６…偏芯カム、１１…ガイドレール、１１１…縦壁、Ａ…ねじ式押圧機構、Ｂ…偏芯カム式押圧機構
【図１】
0004528812.tif 000002
【図２】
0004528812.tif 000003
【図３】
0004528812.tif 000004
【図４】
0004528812.tif 000005
【図５】
0004528812.tif 000006
【図６】
0004528812.tif 000007
【図７】
0004528812.tif 000008
【図８】
0004528812.tif 000009